(57)【要約】      （修正有）【課題】米とぎ作業の労力を軽減しうる米とぎ器であって、水に触れずに米とぎを行うことが出来ると共に、水溜めと排水作業を簡単に行うことができ、さらに衛生的な米とぎ器を提供する。【解決手段】外容器１１、内容器１２及び蓋体１３から構成され、蓋体には回転軸部１４が厚さ方向に貫通して回転可能に配設され、回転軸部の上端部にはハンドル部１９が設けられていると共に、下端部には攪拌部が設けられている米とぎ器１０であって、外容器底面部には排水口部が設けられており、内容器には米粒の径よりも小さい複数の細孔が設けられているとともに、内容器底面下部には、排水口部に密接する水栓部３０が配設され、蓋体には注水口部３１が設けられている。【選択図】図１
0003192577.tif 000002
【実用新案登録請求の範囲】
【請求項１】
外容器、内容器及び蓋体から構成され、上記蓋体には回転軸部が厚さ方向に貫通して回転可能に配設され、上記回転軸部の上端部にはハンドル部が設けられていると共に、下端部には攪拌部が設けられている米とぎ器であって、外容器底面部には排水口部が設けられており、内容器には米粒の径よりも小さい複数の細孔が設けられているとともに、内容器底面下部には、上記排水口部に密接する水栓部が配設され、上記蓋体には注水口部が設けられていることを特徴とする米とぎ器。
【請求項２】
上記攪拌部は、円盤状に形成された回転基部と上記回転基部に固定された複数の攪拌棒状体とから構成され、上記回転基部は回転軸部と直交するように配設されており、さらに上記攪拌棒状体は上記回転基部から垂下するように配設されていることを特徴とする請求項１記載の米とぎ器。
【請求項３】
上記回転基部には、複数の回転基部注水口部が形成されていることを特徴とする請求項２記載の米とぎ器。
【請求項４】
上記外容器及び内容器は上部が開口する円筒状に形成され、外容器の内周面部及び内容器の外周面部には互いに係合するストッパー部が設けられていることを特徴とする請求項１〜３のいずれか１項に記載の米とぎ器。
【請求項５】
上記外容器の下端部には外方に向って突出するように形成された足部と上記足部に着脱可能に設けられた固定部を有することを特徴とする請求項１〜４のいずれか１項に記載の米とぎ器。 
【考案の詳細な説明】
【技術分野】
【０００１】
本考案は、米とぎ器の改良に関するものである。
【背景技術】
【０００２】
日本人の主食である米は、食する頻度も多い。米を食するには、容器や炊飯器釜に米を入れ、水を所定量溜めてから手で米どうしを水中で擦り合わせて洗う米とぎを行う必要がある。
【０００３】
米とぎは、冬場にも冷たい水に手を触れなければならず、所定のとぎ具合とするためには力を入れてとぐことが必要であるために労力を要する作業であり、これらを改善しうる米とぎ方法が望まれていた。
【０００４】
そこで米とぎを合理化するために様々な提案がなされており、例えばハンドルを回すことにより攪拌棒が取付けられたアームが回転し、予め容器内に導入された米と水を攪拌することにより米とぎを行うことが出来る米とぎ器が特許文献１によって提案されており、この方法であれば米とぎに際して冷たい水に手を触れる必要もない。
【０００５】
しかしながら、特許文献１において、とぎ汁の排水は、容器下部に設けられた小缶を経由してホースを通じて排水される構造となっている。
このような構造においては、ホースを止金に固定しない場合にあっては、容器内の水が流れ出てしまうため、容器に水を溜める際にはホースを止金に固定し、排水する際には止金からホースを取り外すという煩雑な作業が必要となってしまう。
【０００６】
また、上記のような構造においては、米とぎが完了して米とぎ器全体の水洗いを行う際には、小缶やホースの中に、すすぎ水が残留しやすいために不衛生となり易く、食品を扱う器具としては好ましいとは言えなかった。
【特許文献１】公開実用新案第平２−１３８６４９号公報
【考案の開示】
【考案が解決しようとする課題】
【０００７】
そこで、本考案は、このような従来の要請に基づくものであって、米とぎ作業の労力を軽減しうる米とぎ器であって、水に触れずに米とぎを行うことが出来ると共に、水溜めと排水作業を簡単に行うことができ、さらに衛生的な米とぎ器を提供することにある。
【課題を解決するための手段】
【０００８】
上記課題を解決するために請求項１記載の米とぎ器にあっては、外容器、内容器及び蓋体から構成され、上記蓋体には回転軸部が厚さ方向に貫通して回転可能に配設され、上記回転軸部の上端部にはハンドル部が設けられていると共に、下端部には攪拌部が設けられている米とぎ器であって、外容器底面部には排水口部が設けられており、内容器には米粒の径よりも小さい複数の細孔が設けられているとともに、内容器底面下部には、上記排水口部に密接する水栓部が配設され、上記蓋体には注水口部が設けられていることを特徴とする。
【０００９】
従って、ハンドル部を回転させることにより、回転軸部が回転すると共に、下端部に設けられた攪拌部が回転する。
また、内容器と外容器を重ねることにより、外容器に設けられた排水口部は内容器底面下部に配設された水栓部によって塞がれ、容器に水を溜めることができ、内容器を上方へ動かすことにより、水栓部と排水口部に間隙が生じて容器内の水が排水される。
【００１０】
請求項２記載の米とぎ器にあっては、上記攪拌部は、円盤状に形成された回転基部と上記回転基部に固定された複数の攪拌棒状体とから構成され、上記回転基部は回転軸部と直交するように配設されており、さらに上記攪拌棒状体は上記回転基部から垂下するように配設されていることを特徴とする。
【００１１】
従って、ハンドルを回転させることにより、回転軸部が回転すると共に、回転基部及び垂下するように配設された複数の攪拌棒状体が回転する。
【００１２】
請求項３記載の米とぎ器にあっては、上記回転基部には、複数の回転基部注水口部が形成されていることを特徴とする。
【００１３】
請求項４記載の米とぎ器にあっては、上記外容器及び内容器は上部が開口する円筒状に形成され、外容器の内周面部及び内容器の外周面部には互いに係合するストッパー部が設けられていることを特徴とする。
【００１４】
従って、ハンドルを回転させた場合であっても、内容器と外容器は互いに係合するストッパーによって回転動作が規制される。
【００１５】
請求項５記載の米とぎ器にあっては、上記外容器の下端部には外方に向って突出するように形成された足部と上記足部に着脱可能に設けられた固定部を有することを特徴とする。
【００１６】
従って、外容器には固定部を装着することができ、固定部によって外部に固定することが出来る。
【考案の効果】
【００１７】
請求項１記載の米とぎ器にあっては、ハンドル部を回転させることにより、回転軸部が回転すると共に、下端部に設けられた攪拌部が回転する。
また、内容器と外容器を重ねることにより、外容器に設けられた排水口部は内容器底面下部に配設された水栓部によって塞がれ、容器に水を溜めることができ、内容器を上方へ動かすことにより、水栓部と排水口部に間隙が生じて容器内の水が排水される。
【００１８】
即ち、内容器と外容器を重ねた状態で、内容器内に米を導入し、水を溜めることが出来ると共に、蓋体を設置して手でハンドル部を回転させることにより、攪拌部が回転し、米とぎを行うことが出来る。
【００１９】
従って、手を水に触れずに米とぎを行うことができ、冬場に冷感を感じることはない。また、とぎ汁を排水する際には、内容器を少し持ち上げることにより排水を行うことができ、操作が簡便である。
【００２０】
請求項２記載の米とぎ器にあっては、ハンドルを回転させることにより、回転軸部が回転すると共に、回転基部及び垂下するように配設された複数の攪拌棒状体が回転する。従って、複数の攪拌棒状体によって、より効率的に米とぎを行うことが出来る。
【００２１】
請求項３記載の米とぎ器にあっては、複数の回転基部注水口部が設けられていることにより、内容器への注水時に例えば水道水の流量を落とさずに内容器内へと導くことが出来る。従って、作業効率を向上させることが出来る。
【００２２】
請求項４記載の米とぎ器にあっては、ハンドルを回転させた場合、内容器と外容器は互いに係合するストッパーによって回転動作が規制される。従って、攪拌部と共に米と水が入った内容器も回転してしまい、回転の動力が米に伝わらずに米がとげないという事態を回避することが出来る。
【００２３】
請求項５記載の米とぎ器にあっては、外容器には固定部を装着することができ、固定部によって外部に固定することが出来る。従って、手で押さえなくとも、米とぎ器全体が回転してしまうことがないため、例えば片手の不自由な障害者も容易に米をとぐことが出来る。
【図面の簡単な説明】
【００２４】
【図１】図１は、本考案の米とぎ器に係る一実施の形態を示した斜視図である。
【図２】図２は、本考案の米とぎ器に係る一実施の形態を示し、外容器の斜視図である。
【図３】図３は、本考案の米とぎ器に係る一実施の形態を示し、内容器の裏面側からの斜視図である。
【図４】図４は、本考案の米とぎ器に係る一実施の形態を示し、ハンドル部と回転軸部及び攪拌部を有する蓋体の攪拌部側からの斜視図である。
【考案を実施するための最良の形態】
【００２５】
以下、本考案に係る米とぎ器１０を実施の形態に基づき、図面を参照して詳細に説明する。
【００２６】
図１に示すように、米とぎ器１０は、外容器１１、内容器１２及び蓋体１３から構成され、上記蓋体１３には回転軸部１４が厚さ方向に貫通して回転可能に配設されている。
【００２７】
図１においては、上記蓋体１３は上記内容器１２の開放端面に適宜の係合手段（図示せず）により固定されている。
上記回転軸部１４は、蓋体１３の中央部１５を貫通しており、蓋体１３の中央部１５内部に設けられたベアリング（図示せず）により、回転可能に設けられており、回転軸部１４と蓋体１３との間隙は、水が浸入しないように金属板１６及びナット１７によりシールされている。
【００２８】
図１から図４に示すように、上記回転軸部１４の上端部１８にはハンドル部１９が設けられていると共に、下端部２０には攪拌部２１が設けられている。
ハンドル部１９はハンドル本体部２２とハンドルつまみ部２３により構成されており、全体が側面略Ｌ字状に形成されている。ハンドル本体部２２は一端部２４が上記回転軸部１４の上端部１８に固定され、他端部にはハンドルつまみ部２３が回転可能に固定されている。
【００２９】
外容器底面部２６には中央に排水口部２７が設けられており、内容器１２には米粒の径よりも小さい複数の細孔２８が設けられているとともに、内容器底面下部２９には、上記排水口部２７に密接した状態で上方から被覆する径を有する短円筒状の水栓部３０が配設され、上記蓋体１３には注水口部３１が設けられている。
【００３０】
上記水栓部３０はゴム製であって、内容器底面下部２９の周縁にはゴム製で、厚さ寸法が水栓部３０と同じ寸法に形成された円環状の台座部２５が設けられている。
上記攪拌部２１は、円盤状に形成された回転基部３２と、上記回転基部３２に固定された複数の攪拌棒状体３３とにより構成され、上記回転基部３２は回転軸部１４と直交するように配設されており、さらに上記攪拌棒状体３３は上記回転基部３２から垂下するように配設されている。
注水口部３１は円形状の開口として形成され、蓋体１３上面に均等間隔で４ヶ所に形成されている。
【００３１】
回転軸部１４の下端部２０はネジ切部が刻設されており、回転基部３２の中央部を貫通し、上記ネジ切部にナット１７を係合させることにより固定されている。
また、攪拌棒状体３３は、回転基部３２の表面側からボルト固定（図示せず）されており、計１２本の攪拌棒状体３３が平面視において略Ｓ字状を描くように配設されている。内容器１２に蓋体１３を係合させた際に、上記攪拌棒状体３３の先端部４６は内容器１２底面との間隙が１０ｍｍとなるように形成されている。
【００３２】
上記回転基部３２には、８個の回転基部注水口部３４が形成され、回転基部注水口部３４は、攪拌棒状体３３と重複しないよう配設されている。
【００３３】
上記外容器１１及び内容器１２は上部が開口する円筒状に形成され、外容器１１の内周面部３５及び内容器１２の外周面部３６には互いに係合するストッパー部３７が設けられている。
【００３４】
外容器１１上部の周方向の両端には、直方体形状で下面が開口する１対の取手部４７が設けられている。
ストッパー部３７は略棒状に形成され、外容器１１の内周面部３５及び内容器１２の外周面部３６に同間隔に其々４個ずつ深さ方向に沿って配設されている。
【００３５】
上記外容器の下端部３８には外方に向って突出するように形成された脚部３９と上記脚部３９に着脱可能に設けられた固定部４１を有している。
脚部３９は平面三角形状の１つの頂点が突出するように形成されており、孔部４０が設けられている。固定部４１は、一端が吸盤４２であり他端には係合部４３を有している。
【００３６】
係合部４３は円筒状に形成されており、端部には軸方向に直交するように係合孔部４４が貫通して設けられている。
円筒状に形成された係合部４３を、脚部３９下面より孔部４０に挿通し、さらに係合ピン４５が係合孔部４４に挿通されて固定されている。
【００３７】
以下、本実施の形態に係る米とぎ器１０の作用について図面を参照して説明する。
米とぎ器１０は、内容器１２に設けられた複数の細孔２８は米粒の径よりも小さく形成されているため、内容器１２の中に所定量の米を投入した状態で保持することが出来る。
【００３８】
また、蓋体１３には注水口部３１、回転基部３２には回転基部注水口部３４が設けられていることにより、図１のように外容器１１、内容器１２及び蓋体１３が重ねられた状態において、注水口部３１へ水道蛇口より水を供給することにより、水は容器内部へと導かれる。
【００３９】
図１に示すように、外容器１１と内容器１２を重ねた状態として上記のように水を導入することにより、外容器１１に設けられた排水口部２７は内容器底面下部２９に配設された水栓部３０によって塞がれ、外容器１１に水を溜めることが出来る。同時に、内容器１２の側面から底面にかけて設けられた複数の細孔２８により、内容器１２にも外容器１１と同じ高さに水を溜めることが出来る。
【００４０】
また、図３に示すように、内容器底面下部２９の周縁には、同じ厚さ寸法に形成された台座部２５があるため、内容器１２は外容器１１内において安定して直立する。
【００４１】
所定量の米と水を導入した状態において、ハンドルつまみ部２３を指でつまみ、回転軸部１４を中心として水平方向に回転させることによって、攪拌棒状体３３が同様に水平方向に沿って回転する。攪拌棒状体３３の先端部４６は、内容器１２底面との間隙が１０ｍｍとなるように配設されていることから、内容器１２内の水嵩が１０ｍｍよりも多くなるように水を溜めることにより、水が攪拌される。従って内容器１２内の水が攪拌されるとともに、内部の米も同時に攪拌され、米とぎを行うことが出来る。
【００４２】
また、外容器１１と内容器１２の其々に設けられたストッパー部３７が相互に当接することにより外容器１１と内容器１２は同期して回転しないように規制されていることから、外容器１１を流し台に吸盤４２で固定することにより、ハンドル部１９を操作した際に外容器１１が動作してしまったり、内容器１２だけが空回りしてしまうことがない。このような作用は、特に片手の不自由な障害者にとって有意義なことである。
【００４３】
とぎ汁を排水する際には、内容器１２を上方へ少し持ち上げることにより、水栓部３０と排水口部２７に間隙が生じて排水口部２７から容器内の水が排水される。
上記のように注水と攪拌、及び排水を適宜繰り返すことにより、米とぎが完了する。
【００４４】
固定部４１は、係合ピン４５を抜き去ることにより、吸盤４２側から取り外すことが出来るため、必要に応じて利用することが出来る。
【００４５】
外容器１１には、取手部４７が設けられているため、指を掛けて手に持つことが出来る。従って持ち運びの労力が低減出来る。
【００４６】
上記実施の形態においては、固定部４１は、吸盤４２と係合部４３により構成されている例を説明したが、これに限定されることはなく、例えば磁石であっても良い。
【産業上の利用可能性】
【００４７】
本考案に係る米とぎ器は、米とぎ作業を水に触れることなく行うことができ、且つ作業を容易にすることが出来るものであり、米とぎを行う人々に広く利用されるものであり、産業上利用可能性を有している。
【符号の説明】
【００４８】
１０    米とぎ器
１１    外容器
１２    内容器
１３    蓋体
１４    回転軸部
１５    中央部
１６    金属板
１７    ナット
１８    上端部
１９    ハンドル部
２０    下端部
２１    攪拌部
２２    ハンドル本体部
２３    ハンドルつまみ部
２４    一端部
２５    台座部
２６    外容器底面部
２７    排水口部
２８    細孔
２９    内容器底面下部
３０    水栓部
３１    注水口部
３２    回転基部
３３    攪拌棒状体
３４    回転基部注水口部
３５    内周面部
３６    外周面部
３７    ストッパー部
３８    外容器の下端部
３９    脚部
４０    孔部
４１    固定部
４２    吸盤
４３    係合部
４４    係合孔部
４５    係合ピン
４６    先端部
４７    取手部 
【図１】
0003192577.tif 000003
【図２】
0003192577.tif 000004
【図３】
0003192577.tif 000005
【図４】
0003192577.tif 000006